(57)【要約】【課題】使用しない際に収納されるキーボードを安定した状態で保持する。【解決手段】ハウジング２の正面側にキーボード１０を立てかけた状態で載せることができる保持部８を設ける。保持部８には、ハウジング２の左右方向に向けられた軸を中心に揺動するストッパ１８が設けられ、奥側の一端２０（奥側端）が保持部８より上部に突出配置される。ストッパ１８はその重量バランスにより奥側の一端２０（奥側端）は、保持部８を含む水平面に対して上方に位置づけられている。保持部８にキーボード１０が載せられると、ストッパ１８の一端２０（奥側端）はキーボード１０の下端１３に押されてストッパ１８が揺動し、ストッパ１８の他端２１（正面側端）が保持部８からキーボード１０の脱落を抑制する位置まで変位する。【選択図】図２
2008152582.tif 000002
【特許請求の範囲】
【請求項１】
ハウジングと、
前記ハウジングとは別体のキーボードと、
前記ハウジングに立てかけられた前記キーボードの下端を保持する保持部と、
前記保持部による前記キーボードの保持領域内で前記保持部を含む水平面に対して一端側が出没自在となるように揺動自在であって、当該一端側が前記水平面より上方に位置づけられる重量バランスを有し、前記保持部に保持された前記キーボードの下端に前記一端側が押されて揺動することで他端側が前記保持部からの当該キーボードの脱落を抑制する位置に変位するストッパと、
を備える情報処理装置。
【請求項２】
前記ハウジング内部に設けられるプリンタと、
前記ハウジングに開口して設けられ、前記プリンタまで用紙を案内する案内経路に用紙を挿入する用紙挿入口と、
前記用紙挿入口の前面に位置づけられて前記軸が向けられている方向にスライド自在に設けられ、当該用紙挿入口に挿入される用紙の用紙幅を規制する用紙ガイドと、
を更に備え、
前記ストッパは前記用紙ガイドに取り付けられている、
請求項１記載の情報処理装置。
【発明の詳細な説明】
【技術分野】
【０００１】
本発明は、使用しない際に収納されるキーボードを安定した状態で保持する情報処理装置に関する。
【背景技術】
【０００２】
従来、オフィスに設置される情報処理機器を小型化し、オフィス内のスペースをより広く確保して、より快適なオフィス環境を創造することが求められている。このような課題を解決するための発明として、情報処理機器を使用しない場合にキーボードと装置本体とを一体化し省スペース化を図る発明がなされている。例えば、特許文献１には、装置本体の外観を構成するハウジングに段差を設け、キーボードを表示部に立てかけた状態で段差の上に一時的に載置して、本体装置や表示部の前面に立てかけてキーボードを一時的に保持することができる情報処理機器の発明が開示されている。
【０００３】
【特許文献１】特開平５−８０８７９号公報
【発明の開示】
【発明が解決しようとする課題】
【０００４】
しかしながら、特許文献１に記載されているキーボードを立てかけて一時的に保持する構造を備える情報処理機器では、キーボードをハウジング前面に立てかけたり、背面を下に向けて載置したりして収納し机上のスペースを確保しても、立てかけられたキーボードは机の振動等によって机上に滑り落ちたり倒れたりするおそれがある。このため、確保されたスペースで作業を行っている者は、机上で安心して作業に集中できない。特許文献１には、この点を解決してキーボードを安定して立てかけるための特段の記載も見られない。
【０００５】
本発明の目的は、使用しない際に収納されるキーボードを安定した状態で保持しておくことである。
【課題を解決するための手段】
【０００６】
本発明の情報処理装置は、ハウジングと、前記ハウジングとは別体のキーボードと、前記ハウジングに立てかけられた前記キーボードの下端を保持する保持部と、前記保持部による前記キーボードの保持領域内で前記保持部を含む水平面に対して一端側が出没自在となるように揺動自在であって、当該一端側が前記水平面より上方に位置づけられる重量バランスを有し、前記保持部に保持された前記キーボードの下端に前記一端側が押されて揺動することで他端側が前記保持部からの当該キーボードの脱落を抑制する位置に変位するストッパと、を備える。
【発明の効果】
【０００７】
本発明によれば、揺動自在に設けられたストッパの一端側がハウジングに立てかけられたキーボードの自重を受けて下方に変位し、それに伴ってストッパの他端側がキーボードの下端を保持する保持部からのキーボードの脱落を抑制する位置まで変位するので、キーボードを安定して保持することができる。
【発明を実施するための最良の形態】
【０００８】
本発明の実施の一形態を図１ないし図１２に基づいて説明する。
【０００９】
図１は、情報処理装置１の外観斜視図である。
【００１０】
本実施の形態の情報処理装置１は、入力されたデータや操作命令に基づいて制御を行うことができる図示しない情報処理機器を格納する装置本体１ａと、データの入力を受け付けるキーボード１０とにより構成されている。キーボード１０は装置本体１ａのハウジング２とは別体である。キーボード１０の側面１４には接続コード９が設けられており、この接続コード９は、本体装置１ａのハウジング２の背面側に設けられた図示しないキーボードコネクタに接続されている。このように接続された接続コード９を介して、装置本体１ａとキーボード１０とは、装置本体１ａに内蔵されている図示しない情報処理機器がキーボード１０から入力されたデータを受信できるように有線接続されている。
【００１１】
ハウジング２の下部は装置前面に延出して形成され、その延出したハウジング前面３には正面右側に電源スイッチ４が、正面左側にＣＤメディアやＤＶＤメディアなどの媒体を装着し装置本体１ａの内部に挿入して図示しない情報処理機器が記録されたデータを読み書きできるように取り付けられているメディアドライブ５が設けられている。また、ハウジング２の内部には、情報を用紙に印刷する図示しないプリンタが設けられている。
【００１２】
ハウジング２の上部前面は上方を向いて傾斜し、情報を表示するディスプレイ６の両側面の下端近傍をチルト自在に保持している。ディスプレイ６の下方には、図示しないプリンタまで用紙を案内する案内経路に用紙を挿入して装置本体１ａの内部に導く用紙挿入口７が設けられている。前面に延出したハウジング２の下部上面には、用紙挿入口７に至る領域に、ハウジング２に立てかけられたキーボード１０の下端を保持する保持部となる平面部８が形成されている。
この平面部８には、一対の用紙ガイド１７が設けられている。一方の用紙ガイド１７Ｒは、平面部８に形成されているガイド溝１５に沿ってスライド移動自在であり、他方の用紙ガイド１７Ｌと共に用紙挿入口７に挿入される用紙の用紙幅を規制する。２つの用紙ガイド１７Ｌ、１７Ｒそれぞれの上部には、ストッパ１８が設けられている。ストッパ１８は、装置正面から見て左右水平方向に向けられた揺動軸２２を中心に揺動自在に設けられている。
【００１３】
ストッパ１８は、外部から力を受けていない状態では、図１に示すように、その重量バランスによって、装置奥側の一端２０（以下、「奥側端２０」と表記する。）がハウジング２の平面部８よりも上方に位置づけられて上向きに開き、キーボード１０の背面１３を下に向けて導入しやすい向きに向いている。
【００１４】
図２は、ハウジング２にキーボード１０を立てかけた状態の情報処理装置１の外観斜視図である。
【００１５】
キーボード１０が、キー面１１（図１参照）をハウジング２やディスプレイ６に向けて、キーボード１０の背面１３をハウジング２の平面部８に載置すると、用紙ガイド１７の上部に揺動自在に設けられたストッパ１８の奥側端２０がキーボード１０の自重によって押されて下方向に変位し、ストッパ１８は揺動軸２２を中心に揺動する。これに伴い、ストッパ１８の装置正面側の他端２１（以下、「正面側端２１」と表記する。）はハウジング２の平面部８に対して高く出没し、キーボード１０が保持部であるハウジング２の平面部８から脱落することを抑制する位置まで変位する。このようにストッパ１８が揺動することよって、キーボード１０の下端は保持部であるハウジング平面部８に保持され、キーボード１０の自重によって揺動したストッパ１８によってハウジング２の平面部８からキーボード１０が脱落することが抑制され、上端はハウジング２やディスプレイ６に支えられて立てかけられるので、キーボード１０は情報処理装置１が載置されている机が振動しても安定した状態を保つことができる。
【００１６】
なお、本実施の形態では、ストッパ１８が揺動して正面側端２１がキーボード１０の脱落を抑制する位置まで変位するが、別の実施の形態として、ストッパ１８が揺動して正面側端２１が平面部に立てかけられた状態のキーボード１０の装置正面側を向いている底面１２に接触する位置まで変位し、ついにはキーボード１０を装置奥側に押し込んで安定させることも可能である。
【００１７】
以下、キーボード１０を安定した状態に保つことができるストッパ１８と、ストッパ１８を上部に設けた用紙ガイド１７とについて、更に詳しく説明する。なお、以下の説明においては、特に、右用紙ガイド１７Ｒおよびこれに設けられているストッパ１８（以下、「右ストッパ１８Ｒ」と表記する。）について説明する。
【００１８】
図３は、用紙ガイド１７およびストッパ１８の外観斜視図である。図４は、右用紙ガイド１７Ｒおよび右ストッパ１８の分解斜視図である。
【００１９】
左用紙ガイド１７Ｌはその底面を、Ｌ字平板２５の上面がハウジング２の平面部８と同じ高さに位置づけられるように、ハウジング２に埋設されたレール１６に切られたガイド溝１５に嵌合して、レール１６に対して固定されて設けられている。また、右用紙ガイド１７Ｒはその底面をガイド溝１５に嵌合し、レール１６に対してスライド自在に設けられている。その詳細は図１２に基づいて後述する。２つの用紙ガイド１７のストッパ受け部２６の装置正面から見て内側を向いて対面している側面１７ａは、用紙ガイド１７が左右水平方向にスライドし位置を調整されて、用紙挿入口７に挿入される図示しない用紙の側面に接触して、図示しない用紙が装置本体１ａに挿入される向きを揃える役割を果たす。
【００２０】
ストッパ１８には揺動軸２２が一体形成される。そして、ストッパ１８は、その下側を用紙ガイド１７に一体形成して備えられるストッパ受け部２６のスリット２７に挿入され、揺動軸をストッパ受け部２６に設けられた揺動軸受け２８に挿入されて、揺動軸２２を中心に揺動自在に取り付けられている。
【００２１】
つまり、ストッパ１８は用紙ガイド１７に揺動自在に保持される。そして、左用紙ガイド１７Ｌに設けられたストッパ１８（以下、「左ストッパ１８Ｌ」と表記する。）とレール１６とは、互いに固定された位置関係にある。また、右ストッパ１８Ｒとレール１６とは、ガイド溝１５がレール１６を切る方向に、右ストッパ１８Ｒがレール１６に対してスライド移動する関係にある。
【００２２】
以下、用紙ガイド１７に揺動自在に保持されるストッパ１８の揺動動作について、更に詳しく説明する。
【００２３】
図５は、右ストッパ１８Ｒが揺動する様子を示した模式図である。
【００２４】
右ストッパ１８Ｒは、揺動軸２２よりも装置奥側上方に突出して設けられる奥側端２０と、揺動軸２２よりも装置正面側に設けられる正面側端２１とを備え、右ストッパ１８Ｒの全体の重心が正面側端２１側に備わるように形成されている。そして、外部から力を受けていない状態では、右ストッパ１８Ｒは、図５（ａ）に示すように、重量バランスによって右ストッパ１８Ｒの装置正面側の底面をＬ字平板２５に接触して用紙ガイド１７に保持される。
【００２５】
ハウジング２に立てかけられるキーボード１０の下端が保持部であるハウジング２の平面部８に載置されると、右ストッパ１８Ｒの奥側端２０はキーボード１０の自重を受けて、図５（ｂ）に示すように、奥側端２０は押されて下方向に変位する。右ストッパ１８Ｒの奥側端２０の下部にはＬ字平板２５が存在しないため（図９ないし図１１参照）、奥側端２０は保持部の高さよりも更に低い位置まで変位し、ついにはレール１６に接触する位置まで変位することが可能な構造になっている。奥側端２０が下方向に変位することに伴って右ストッパ１８Ｒは揺動軸２２の軸回り方向に揺動し、図５（ｂ）に示すように、正面側端２１はハウジング２に立てかけられた状態のキーボード１０が、平面部８から脱落しない高さまで平面部８に対して高い位置まで変位する。
【００２６】
以上のように揺動する右ストッパ１８Ｒと、右ストッパ１８Ｒを揺動自在に保持する右用紙ガイド１７Ｒと、２つの用紙ガイド１７を嵌合して保持するレール１６との構造について、更に詳しく説明する。
【００２７】
図６は、右ストッパ１８Ｒの左側面図である。図７は、右ストッパ１８Ｒを上から見た平面図である。図８は、右ストッパ１８Ｒの外観斜視図である。
【００２８】
右ストッパ１８Ｒは、装置正面から見て左右両側面が平面形状のストッパ基部１９を基礎とする。ストッパ基部１９の上面は、装置正面から奥に向かう途中で左右方向にのびる境界辺１９ｂを境として、装置奥側（奥側端２０側）には延出した延出部１９ａを設け、装置正面側（正面側端２１側）には装置正面側を高く位置づけて奥側を向いている斜面１９ｃを設けている。ストッパ基部１９の下面１９ｄ近傍には揺動軸２２が装置正面から見て左右水平方向に一体形成されている。ストッパ基部１９の延出部１９ａ上面には、装置正面から見て左方向に延出して平板形状の奥側端２０が略水平に設けられている。ストッパ基部１９の斜面１９ｃ上面には、装置正面から見て左方向に延出して平板形状の正面側端２１が設けられている。右ストッパ１８Ｒは、全体の重心を揺動軸２２よりも正面側端２１側に備えて、各部を一体形成して構成される。
【００２９】
図９は、右用紙ガイド１７Ｒの左側面図である。図１０は、右用紙ガイド１７Ｒの平面図である。図１１は、右用紙ガイド１７Ｒの外観斜視図である。
【００３０】
続いて、右用紙ガイド１７Ｒについて説明する。
【００３１】
右用紙ガイド１７Ｒは、装置正面側および右側に翼部２４を平面接続し、底面にレール１６のガイド溝１５と嵌合する形状に装置正面側および奥側に鋭角に突出する突起部２４ａを備えるＬ字平板２５を基礎とし、翼部２４の上面に、ストッパ基部１９を上側から鉛直方向に挟み込むことができるスリット２７と装置奥側から揺動軸２２を挿入し保持することができるＵ字形状孔の揺動軸受け２８とを設けたストッパ受け部２６を一体接続して形成される。ストッパ受け部２６は、翼部２４の装置奥側の辺２５ａよりも更に装置奥側に揺動軸受け２８の最深部２８ａを位置づけるように、ストッパ受け部２６底面の装置正面側の一部と翼部２４の装置奥側の上面とが接合して一体形成される。
【００３２】
Ｌ字平板２５の装置正面から見て前後方向の長さＬ１は、レール１６の装置正面から見て前後方向の長さＲ１（図１２参照）と略同じである。また、翼部２４の装置正面から見て前後方向の長さＬ２は、レール１６の最も装置正面側に位置する辺１５ｂからガイド溝１５の装置正面側に位置する辺１５ａまでの距離Ｒ２（図１２参照）よりも短く形成されている。
【００３３】
なお、左用紙ガイド１７Ｌおよび左ストッパ１８Ｌは、前述した右用紙ガイド１７Ｒおよび右ストッパ１８Ｒと装置正面から見て左右対称の構造である。
【００３４】
図１２は、レール１６の外観斜視図である。
【００３５】
レール１６は、装置正面から見て左右水平方向に長辺を持ち、長辺と平行に切られたガイド溝１５を設けている。
【００３６】
レール１６に設けられたガイド溝１５は、用紙ガイド１７の底面に設けられた突起部２４ａと嵌合する形状に形成されている。より詳細には、Ｌ字平板２５の底面に下方向に突出して設けられている突起部２４ａは、装置正面側および奥側に鋭角に突起して形成されている。また、ガイド溝１５は、側面から見てＺ字に折り返して突起部２４ａと嵌合する形状に形成されている。このような形状に形成された用紙ガイド１７の突起部２４ａとレール１６のガイド溝１５とは、左用紙ガイド１７Ｌについては、ハウジング２に埋設されているレール１６に対して固定した位置に位置づけられて嵌合し、右用紙ガイド１７Ｒについては、レール１６に対して左右方向にスライド自在に嵌合する。
［効果］
本実施の形態の情報処理装置１によれば、揺動自在に設けられたストッパ１８の奥側端２０がハウジング２に立てかけられたキーボード１０の自重を受けて下に変位し、それに伴ってストッパ１８が揺動軸２２を中心に揺動して正面側端２１がキーボード１０の下端を保持する平面部８からのキーボードの脱落を抑制する位置まで変位するので、キーボード１０を安定して保持することができる。
［別の実施の形態］
本実施の形態の装置本体１ａとキーボード１０とは接続コード９を介して有線接続されているが、別の実施形態として、キーボード背面１３に信号送信口を備え、装置本体１ａの前面２ｄに信号受信口を備え、キー面１１に設けられているキーが押下されると信号送信口から信号受信口に押下されたキーに対応する無線信号が送信され、装置本体１ａの外観を構成するハウジング２に内蔵された情報処理機器が信号受信口から入力された無線信号に応じて処理を行うように、装置本体１とキーボード１０とが無線接続されていてもよい。
【００３７】
また、本実施の形態の用紙ガイド１７は、右用紙ガイド１７Ｒのみが左右方向にスライド自在に取り付けられている片側基準式のプリンタを内蔵する情報処理装置に適用されるものであるが、別の実施形態として、装置本体１ａの左右中央となる位置にピニオンが設けられているラックアンドピニオンを備え、左用紙ガイド１７Ｌおよび右用紙ガイド１７Ｒはラックアンドピニオンによって左右対称に同時にスライドするセンター基準式のプリンタを内蔵する情報処理装置に適用されるものであっても良い。
【図面の簡単な説明】
【００３８】
【図１】情報処理装置の外観斜視図である。
【図２】ハウジングにキーボードを立てかけた状態の情報処理装置の外観斜視図である。
【図３】用紙ガイドおよびストッパの外観斜視図である。
【図４】右用紙ガイドおよび右ストッパの分解斜視図である。
【図５】右ストッパが揺動する様子を示した模式図である。
【図６】右ストッパの左側面図である。
【図７】右ストッパを上から見た平面図である。
【図８】右ストッパの外観斜視図である。
【図９】右用紙ガイドの左側面図である。
【図１０】右用紙ガイドの平面図である。
【図１１】右用紙ガイドの外観斜視図である。
【図１２】レールの外観斜視図である。
【符号の説明】
【００３９】
１…情報処理装置、２…ハウジング、７…用紙挿入口、８…平面部（保持部）、１０…キーボード、１７…用紙ガイド、１８…ストッパ、２０…奥側端（一端）、２１…正面側端（他端）
【図１】
2008152582.tif 000003
【図２】
2008152582.tif 000004
【図３】
2008152582.tif 000005
【図４】
2008152582.tif 000006
【図５】
2008152582.tif 000007
【図６】
2008152582.tif 000008
【図７】
2008152582.tif 000009
【図８】
2008152582.tif 000010
【図９】
2008152582.tif 000011
【図１０】
2008152582.tif 000012
【図１１】
2008152582.tif 000013
【図１２】
2008152582.tif 000014